(57)【特許請求の範囲】
【請求項１】
試料を載置するためのステージを有する架台基部と、前記架台基部に固定された垂直な支柱部と、前記支柱部に沿って移動可能に設けられ、顕微鏡本体を取り付け可能な顕微鏡支持部と、前記支柱に設けられ、前記顕微鏡支持部を移動させる第１焦準ノブと、前記架台基部に設けられ、前記顕微鏡支持部を移動させる第２焦準ノブと、前記第１焦準ノブ及び前記第２焦準ノブのいずれか一方と前記顕微鏡支持部との間に設けられた焦準移動機構と、前記第１焦準ノブと前記第２焦準ノブとを連動して回転させる連動手段とを備えることを特徴とする顕微鏡用架台。
【請求項２】
前記第１照準ノブの１回転当たりの前記支柱に対する前記移動部材の移動量と前記第２照準ノブの１回転当たりの前記支柱に対する前記移動部材の移動量とは異なることを特徴とする請求項１に記載の顕微鏡用架台。
【請求項３】
前記連動手段は第１焦準ノブの回転軸に設けられた第１ベルト車と、第２焦準ノブの回転軸に設けられた第２ベルト車と、前記第１ベルト車と前記第２ベルト車との間に設けられたベルトとで構成されていることを特徴とする請求項１に記載の顕微鏡用架台。
【請求項４】
前記第１ベルト車の直径と前記第２ベルト車の直径とは異なることを特徴とする請求項３に記載の顕微鏡用架台。
【請求項５】
前記第１ベルト車の直径は、前記第２ベルト車の直径よりも大きいことを特徴とする請求項４に記載の顕微鏡用架台。
【請求項６】
前記第１照準ノブは、前記支柱の高さ方向の略中央部に設けられ、前記第２照準ノブは、前記架台基部の両側面の観察者側に対して奥側に設置されていることを特徴とする請求項１から５の何れかの請求項に記載の顕微鏡架台。
【発明の詳細な説明】
【０００１】
【発明の属する技術分野】
この発明は、実体顕微鏡のように顕微鏡本体を光軸方向に移動させて試料に対するピント合わせをする顕微鏡用架台に関する。
【０００２】
【従来の技術】
図６は従来の実体顕微鏡を示す側面図である。
【０００３】
顕微鏡架台１０１は、試料１１３を載置するためのステージ１１１を有する架台基部１１０と、架台基部１１０に固定された垂直な支柱部１２０と、支柱部１２０に沿って移動可能に設けられ、顕微鏡本体１９０を取り付け可能なマウント部１３０と、支柱部１２０に設けられ、マウント部１３０を移動させる焦準ノブ１４０と、架台基部１１０に設けられた透過照明装置１８０とを備える。
【０００４】
透過照明装置１８０は架台基部１１０の後方に設けられたランプハウス１８１と架台基部１１０内に設けられた反射ミラー１８２とを備える。
【０００５】
焦準ノブ１４０を回転させ、マウント部１３０に取り付けられた顕微鏡本体１９０を支柱部１２０に沿って上下方向へ移動させるこによって、ステージ１１１上に載置された試料１３０にピントを合わせることができる。
【０００６】
ランプハウス１８１内のランプ（図示せず）から発せられた照明光は、反射ミラー１８２によって９０°偏向され、試料１１３に照射される。
【０００７】
【発明が解決しようとする課題】
この顕微鏡架台１０１は透過照明装置１８０を構成する反射ミラー１８２を架台基部１１０に備えているので、透過照明装置１８０を備えていない顕微鏡架台に比べて、試料１１３を載置するステージ１１１の位置が高く、ピント合わせをする度にステージ１１１よりも更に高い位置にある焦準ノブ１４０を操作しなければならず、操作性が悪いという問題があった。
【０００８】
とりわけ、長時間に亘って顕微鏡観察を行う場合には、ピント合わせをする度に手を斜めに伸ばさなければならず、疲労の度合いが大きくなる。
【０００９】
この発明はこのような事情に鑑みてなされたもので、その課題は操作性に優れた顕微鏡用架台を提供することである。
【００１０】
【課題を解決するための手段】
前述の課題を解決するため請求項１記載の発明は、試料を載置するためのステージを有する架台基部と、前記架台基部に固定された垂直な支柱部と、前記支柱部に沿って移動可能に設けられ、顕微鏡本体を取り付け可能な顕微鏡支持部と、前記支柱に設けられ、前記顕微鏡支持部を移動させる第１焦準ノブと、前記架台基部に設けられ、前記顕微鏡支持部を移動させる第２焦準ノブと、前記第１焦準ノブ及び前記第２焦準ノブのいずれか一方と前記顕微鏡支持部との間に設けられた焦準移動機構と、前記第１焦準ノブと前記第２焦準ノブとを連動して回転させる連動手段とを備えることを特徴とする。
【００１１】
請求項２記載の発明は、請求項１に記載の顕微鏡用架台において、前記第１照準ノブの１回転当たりの前記支柱に対する前記移動部材の移動量と前記第２照準ノブの１回転当たりの前記支柱に対する前記移動部材の移動量とは異なることを特徴とする。
【００１２】
請求項３記載の発明は、請求項１に記載の顕微鏡用架台において、前記連動手段は第１焦準ノブの回転軸に設けられた第１ベルト車と、第２焦準ノブの回転軸に設けられた第２ベルト車と、前記第１ベルト車と前記第２ベルト車との間に設けられたベルトとで構成されていることを特徴とする。
【００１４】
請求項４記載の発明は、請求項３に記載の顕微鏡用架台において、前記第１ベルト車の直径と前記第２ベルト車の直径とは異なることを特徴とする。
【００１５】
請求項５記載の発明は、請求項４に記載の顕微鏡用架台において、前記第１ベルト車の直径は、前記第２ベルト車の直径よりも大きいことを特徴とする。
請求項６記載の発明は、請求項１から５の何れかの請求項に記載の顕微鏡用架台において、前記第１照準ノブは、前記支柱の高さ方向の略中央部に設けられ、前記第２照準ノブは、前記架台基部の両側面の観察者側に対して奥側に設置されていることを特徴とする。
【００１６】
【発明の実施の形態】
以下、この発明の実施の形態を図面に基づいて説明する。
【００１７】
図１はこの発明の一実施形態に係る顕微鏡用架台を示す斜視図である。
【００１８】
顕微鏡用架台１は、架台基部１０と、支柱部２０と、マウント部（顕微鏡支持部）３０と、第１焦準ノブ４０と、第２焦準ノブ５０と、透過照明装置８０とを備える。
【００１９】
架台基部１０の上面には試料１３を載置するための透明なステージ１１が設けられている。
【００２０】
支柱部２０は架台基部１０の上面に垂直に固定されている。
【００２１】
支柱部２０に沿って上下方向へ移動可能なマウント部３０には顕微鏡本体９０が取り付けられている。
【００２２】
第１焦準ノブ４０は支柱部２０の高さ方向のほぼ中央部に設けられている。
【００２３】
第２焦準ノブ５０は架台基部１０の両側面に設けられている。なお、架台基部１０の両側面の上部（ステージ１１の近傍）には観察者が手を置くためのハンドレスト１２が設けられている。
【００２４】
図２は図１のII−II矢視断面図である。
【００２５】
マウント部３０にはガイド部３１を介してラック３２が設けられている。
【００２６】
ガイド部３１には支柱部２０の上下方向に延びるガイド溝２１と係合する突部３３が形成されている。
【００２７】
第１焦準ノブ４０は支柱部２０の両側に設けられ、この第１焦準ノブ４０の回転軸４１にはラック３２と噛み合うピニオン４２が設けられている。また回転軸４１にはプーリ（第１のベルト車）４３が設けられている。
【００２８】
ラック３２とピニオン４２とで焦準移動機構６０が構成される。
【００２９】
図３は第２焦準ノブを説明する図である。
【００３０】
第２焦準ノブ５０は架台基部１０の両側に設けられている。
【００３１】
第２焦準ノブ５０の回転軸５１にはプーリ（第２のベルト車）５２が設けられ、このプーリ５２とプーリ４３（図２参照）との間にはベルト５３が架け渡され、第２焦準ノブ５０は第１焦準ノブ４０と一体に回転する。
【００３２】
プーリ４３，５２とベルト５３とで連動機構（連動手段）７０が構成される。
【００３３】
図４は連動機構を説明する断面図である。
【００３４】
第１焦準ノブ４０の回転軸４１に設けられているプーリ４３の直径を２ｄ、第２焦準ノブ５０の回転軸５１に設けられているプーリ５２の直径をｄとする。
【００３５】
この結果、第２焦準ノブ５０を１回転させたとき、第１焦準ノブ４０が１／２回転する、速度比が１／２の連動手段７０が構成される。
【００３６】
図５は透過照明装置を説明する断面図である。
【００３７】
透過照明装置８０はランプハウス８１と反射ミラー８２とで構成される。
【００３８】
ランプハウス８１は架台基部１０の後方に設けられ、ハロゲンランプ等のランプ８３を内臓している。
【００３９】
反射ミラー８２は架台基部１０内に設けられ、ランプ８３から出射された照明光を試料１３に照射させる。
【００４０】
この実施形態の顕微鏡用架台は次のように使用される。
【００４１】
試料１３をステージ１１上に載置する。
【００４２】
支柱部２０に設けた第１焦準ノブ４０を回転させてマウント部３０を支柱部２０に沿って移動させ、顕微鏡本体９０の試料１３に対するラフなピント合わせを行う。
【００４３】
次に、架台基部１０に設けた第２焦準ノブ５０を回転させて試料１３に対する正確なピント合わせを行う。
【００４４】
なお、ベルト５３としては歯付きベルトを用い、プーリ４３，５２としてはベルトの歯と噛み合い可能な溝を有するものを用いる。
【００４５】
この実施形態によれば、支柱部２０に設けられた第１焦準ノブ４０によってラフなピント合わせを行っておけば、架台基部１０に設けられた第２焦準ノブ５０を操作するだけでピント合わせをすることができる。すなわち、ピント合わせの度に手を斜め上方へ伸ばす必要がなくなり、操作性が向上する。
【００４６】
特に架台基部１０に透過照明装置８０を有し、ステージ１１の位置が高い架台基部１０を使用して顕微鏡観察を行うときには有効である。
【００４７】
また、ベルト５３を用いたので、安価であり、静かであり、しかも回転軸間の距離の狂いを吸収することができる。
【００４８】
更に、第１焦準ノブ４０は１回転当りの顕微鏡本体９０の移動量が大きいので、顕微鏡本体９０をすばやく移動させてラフなピント合わせを行うことができる。
【００４９】
一方、第２焦準ノブ５０は第１焦準ノブ４０に比し、１回転当りの移動量は小さいので、顕微鏡本体９０をゆっくりと移動させて正確なピント合わせを行うことができる。
【００５０】
したがって、迅速かつ正確なピンと合わせが可能である。
【００５１】
また、歯付きベルトを用いることにより、プーリ４３，５２とベルト５３との間のすべりがなくなるので、伝達効率が高まり連動手段全体を小さくできるとともに、第１焦準ノブ４０と第２焦準ノブ５０との同期駆動が可能になる。
【００５２】
なお、第１焦準ノブ４０と第２焦準ノブ５０との速度比は１／２に限るものではなく、任意に設定してよく、また速度比を１／１にしても良い。
【００５３】
【発明の効果】
以上に説明したように請求項１に記載の発明の顕微鏡用架台によれば、ピント合わせの度に手を斜め上方へ伸ばすことなく架台基部に設けられた第２焦準ノブを操作するだけでピント合わせをすることができるので、顕微鏡観察における操作性が向上する。
【図面の簡単な説明】
【図１】  図１はこの発明の一実施形態に係る顕微鏡用架台を示す斜視図である。
【図２】図２は図１のII−II矢視断面図である。
【図３】図３は第２焦準ノブを説明する図である。
【図４】図４は連動機構を説明する断面図である。
【図５】図５は透過照明装置を説明する断面図である。
【図６】図６は従来の実体顕微鏡を示す側面図である。
【符号の説明】
１  顕微鏡架台
１０  架台基部
１１  ステージ
１３  試料
２０  支柱部
３０  マウント部（顕微鏡支持部）
４０  第１焦準ノブ
４１，５１  回転軸
４３  プーリ（第１のベルト車）
５０  第２焦準ノブ
５２  プーリ（第２のベルト車）
６０  焦準移動機構
７０  連動機構（連動手段）
９０  顕微鏡本体
【図１】
0004164900.tif 000002
【図２】
0004164900.tif 000003
【図３】
0004164900.tif 000004
【図４】
0004164900.tif 000005
【図５】
0004164900.tif 000006
【図６】
0004164900.tif 000007